(57)【要約】【課題】  入力されるオーディオ信号がいかなるレベルであっても、起動時の無音状態を無くし、過大入力による音声出力の歪みを実質上無くすことができる「オーディオ信号処理装置」を提供すること。【解決手段】  オーディオ信号処理装置１０は、スピーカ３に入力されるべきオーディオ信号ＡＳを入力し、該オーディオ信号に対し各種オーディオ処理を施してスピーカ３に接続する。オーディオ信号ＡＳのレベルを所定の減衰量だけ低減して出力するアッテネータ２０と、各種オーディオ処理を行う機能ブロック１５からの出力とアッテネータ２０の出力を選択的に切り替えてスピーカ３側に接続するスイッチ２１とを備える。このスイッチ２１は、当該装置１０の起動時に制御部１１からの切替制御により、アッテネータ２０の出力をスピーカ３側に接続する。【選択図】  図１
2006262181.tif 000002
【特許請求の範囲】
【請求項１】
スピーカに入力されるべきオーディオ信号を入力し、該オーディオ信号に対し各種オーディオ処理を施して前記スピーカに接続するオーディオ信号処理装置において、
前記オーディオ信号のレベルを所定の減衰量だけ低減して出力するアッテネータと、
前記各種オーディオ処理を行う機能ブロックからの出力と前記アッテネータの出力を選択的に切り替えて前記スピーカに電気的に接続するスイッチと、
起動時に前記スイッチを制御して前記アッテネータの出力を前記スピーカに切替接続させる制御部とを備えたことを特徴とするオーディオ信号処理装置。
【請求項２】
前記オーディオ信号のレベルを検出するレベル検出部と、画面を通して情報を提供する表示部とを備え、
前記制御部は、前記スイッチを制御して前記アッテネータの出力を前記スピーカに切替接続させたときに、前記レベル検出部により検出される当該オーディオ信号のレベルを指示する情報を前記表示部の画面上に表示させることを特徴とする請求項１に記載のオーディオ信号処理装置。
【請求項３】
前記オーディオ信号のレベルを所定の減衰量だけ低減して出力するアッテネータに代えて、当該オーディオ信号のレベルを可変の減衰量だけ低減して出力するアッテネータを設け、
前記制御部は、前記レベル検出部により検出される当該オーディオ信号のレベルに応じて前記アッテネータの減衰量を変更することを特徴とする請求項２に記載のオーディオ信号処理装置。
【請求項４】
前記スピーカに入力されるべきオーディオ信号の複数のレベル値と、該複数のレベル値の各々に対応してあらかじめ設定された複数の減衰値との関係を表したテーブルを格納したメモリを有し、
前記制御部は、前記メモリに格納されているテーブルを参照して前記アッテネータの減衰量を変更することを特徴とする請求項３に記載のオーディオ信号処理装置。
【請求項５】
前記制御部は、前記レベル検出部により検出される当該オーディオ信号のレベルを指示する情報を前記表示部の画面上に所定の時間表示させたときに、前記スイッチを制御して前記機能ブロックからの出力を前記スピーカに切替接続させることを特徴とする請求項２又は３に記載のオーディオ信号処理装置。
【請求項６】
前記アッテネータにおける所定の減衰量は、前記オーディオ信号処理装置の前段に接続されるオーディオ信号出力ユニットの出力段に設けられたアンプのゲイン値に応じて選定されていることを特徴とする請求項１に記載のオーディオ信号処理装置。
【請求項７】
車両に搭載されていることを特徴とする請求項１から６のいずれか一項に記載のオーディオ信号処理装置。
【発明の詳細な説明】
【技術分野】
【０００１】
本発明はオーディオ信号処理装置に関し、特に、スピーカに入力されるべきオーディオ信号を入力し、このオーディオ信号に対し各種オーディオ処理を施してスピーカに接続するオーディオ信号処理装置に関する。
【背景技術】
【０００２】
家庭用、車載用を問わず、一般的なオーディオ関連機器には、ＡＭ／ＦＭチューナやＣＤプレーヤ等のソースからオーディオ信号を取り込んでスピーカに接続するためのオーディオ信号出力ユニットが設けられている。かかるオーディオ信号出力ユニットは、例えば車載用を例にとると、車載の各電子機器（オーディオソースを含む）を操作するために車室内のフロント席前方のコンソールパネル内に組み込まれたヘッドユニット（ＨＵ）に内蔵されている。かかるヘッドユニットは、スピーカと共に、元々車両に装備されている純正品であり、そのため、ヘッドユニットからスピーカに出力されるオーディオ信号は、その出力が歪まないようにあらかじめ適正レベルに合っているのが一般的である。
【０００３】
このような既存のオーディオシステムに対し、より一層ユーザの好みに応じた音質が得られるようにするため、オーディオ信号出力ユニット（ＨＵ）とスピーカの間に、各種オーディオ処理を付加するためのユニット（以下、「オーディオ信号処理装置」という。）を新たに設けることがある。図４はその場合の一構成例を示したものである。
【０００４】
図４に示す例では、オーディオ信号処理装置３０は、本装置全体を制御する制御部３１と、ＨＵ２から出力されるオーディオ信号のレベルを検出するレベル検出部３２と、検出されたレベルに基づいて制御部３１により減衰量が制御されるアッテネータ３３と、当該オーディオ信号を出力するオーディオソース１を選択するためのソースセレクタ３４と、制御部３１からの制御に基づいて入力オーディオ信号に対し各種オーディオ処理を施すと共に、出力すべきオーディオ信号のレベルを必要に応じて零（０）レベルに低減するミュート機能を備えたオーディオ処理部３５と、このオーディオ処理部３５の出力信号を増幅して外部のスピーカ３に出力するアンプ３６と、各種の操作キーを備えた操作部３７と、制御部３１からの制御に基づいて画面上に情報を表示する表示部３８とを備えている。
【０００５】
上述したように、純正品であるＨＵ（オーディオ信号出力ユニット）にスピーカが直接接続される場合にはＨＵの出力が歪まないようにあらかじめ適正レベルに調整されているが、図４に示すように両者間にオーディオ信号処理装置３０を介在させた場合には、この装置３０の出力（スピーカ３の入力）が歪まないようにする必要がある。
【０００６】
従来の技術では、オーディオ信号処理装置３０の入力レベル（ＨＵ２の出力レベル）が適正レベルに合っているか否かを表示部３８の画面に表示し、ユーザがこの画面を確認しながら、オーディオ信号処理装置３０の出力（スピーカ３の入力）が歪まないようにＨＵ２側で適宜ボリューム調整を行っていた。
【０００７】
上記の従来技術に関連する技術としては、例えば、特許文献１に記載されるように、メディア再生装置において出力信号系統の選択と再生メディアの種類及び再生信号のチャネル数など再生方法に応じてオーディオレベルの相対的なプリセットを行うようにした技術がある。
【特許文献１】特開平１０−２８４９６０号公報
【発明の開示】
【発明が解決しようとする課題】
【０００８】
上述したように従来の技術では（図４参照）、スピーカ３に入力されるべきオーディオ信号を出力するユニット（ＨＵ２）とスピーカ３の間にオーディオ信号処理装置３０を介在させた場合、その出力が歪まないようにするため、その入力レベル（ＨＵ２の出力レベル）が適正レベルに合うようにＨＵ２側での操作（ボリューム調整）に基づいたレベル合わせが行われていた。
【０００９】
しかしながら、そのレベル合わせの対象としているオーディオソースは、大抵の場合、実際の音楽（ミュージック）信号であり、しかも、その信号のレベルや周波数特性は、ラジオやＣＤといったソースの種類によって異なり、また、同じソースであってもその音声種別（例えば、ポップス、ジャズ、クラシック等のジャンルの違いや、高域、中域、低域等の周波数帯域の違いなど）によっても異なる。このため、いったん任意のソースのオーディオ信号に対して適正レベルに合うようにレベル合わせを行った場合でも、別のソースに変更されたときに、その別ソースのオーディオ信号に対して適正レベルに合うようにレベル合わせを行おうとしても、出力の歪みをアッテネータ３３（図４）で完全に吸収しきれない場合が起こり得る。つまり、オーディオソースを変更したときに、場合によっては出力（スピーカ３の入力）が歪んでしまうといった問題があった。
【００１０】
また、オーディオ信号処理装置３０の起動時（電源「ＯＮ」時、もしくはリセットスタート時）には、スピーカ３に過大なレベルの信号が入力されるため、その過大入力により音声出力が歪み、場合によってはスピーカ３のコイルが焼損するといった不都合も起こり得る。
【００１１】
このため、現状の技術では、上記のレベル合わせが完了するまで、スピーカ３に供給されるべき音声出力を「ミュート」していた（図４のオーディオ処理部３５）。従って、この期間中はスピーカ３の出力は「無音状態」にあり、音楽を聴くことができないといった不都合があった。
【００１２】
本発明は、かかる従来技術の課題に鑑み創作されたもので、スピーカに入力されるべきオーディオ信号を出力するユニットとスピーカの間に挿入して使用するにあたり、当該オーディオ信号がいかなるレベルであっても、起動時の無音状態を無くし、過大入力による音声出力の歪みを実質上無くすことができるオーディオ信号処理装置を提供することを目的とする。
【課題を解決するための手段】
【００１３】
上述した従来技術の課題を解決するため、本発明によれば、スピーカに入力されるべきオーディオ信号を入力し、該オーディオ信号に対し各種オーディオ処理を施して前記スピーカに接続するオーディオ信号処理装置において、前記オーディオ信号のレベルを所定の減衰量だけ低減して出力するアッテネータと、前記各種オーディオ処理を行う機能ブロックからの出力と前記アッテネータの出力を選択的に切り替えて前記スピーカに電気的に接続するスイッチと、起動時に前記スイッチを制御して前記アッテネータの出力を前記スピーカに切替接続させる制御部とを備えたことを特徴とするオーディオ信号処理装置が提供される。
【００１４】
本発明に係るオーディオ信号処理装置によれば、起動時に、制御部からの制御に基づいてスイッチにより、アッテネータの出力（入力オーディオ信号のレベルを所定の減衰量だけ低減させた信号）をスピーカに接続するようにしているので、その入力オーディオ信号がいかなるレベルであっても、従来技術に見られたような起動時の無音状態を無くすことができる。従って、この期間中もスピーカからは当該オーディオ信号（レベル低減された信号）が音声出力されるので、音楽を聴くことができる。
【００１５】
また、この期間中はスピーカにはレベル低減されたオーディオ信号が入力されているので、従来技術に見られたような起動時の過大入力に起因する音声出力の歪みを実質上無くすことができる。これは、スピーカのコイルの焼損防止に寄与する。
【発明を実施するための最良の形態】
【００１６】
以下、本発明に係るオーディオ信号処理装置の実施の形態について、添付の図面を参照しながら説明する。
【００１７】
図１は本発明の一実施形態に係るオーディオ信号処理装置を車載用のオーディオシステムに適用した場合の構成を示したものである。本実施形態に係るオーディオ信号処理装置１０は、スピーカ３に入力されるべきオーディオ信号ＡＳを出力するユニット（オーディオ信号出力ユニット２）とスピーカ３の間に挿入して使用することを意図しており、車載のオーディオソース１（例えば、ＣＤプレーヤ、ＭＤプレーヤ、ＤＶＤプレーヤ、ＡＭ／ＦＭチューナ、カセットテープデッキ等の各種のソース）からオーディオ信号出力ユニット２（その出力段に設けられたアンプ２ａ）を介して出力されたオーディオ信号ＡＳに対し、各種オーディオ処理を施してスピーカ３に出力するものである。なお、オーディオ信号出力ユニット２は、オーディオソース１と共に他の車載機器を操作するためのヘッドユニット（ＨＵ）に内蔵されており、車室内のフロント席前方のコンソールパネル内に組み込まれている。
【００１８】
図１に示すように、本実施形態に係るオーディオ信号処理装置１０は、マイクロコンピュータ（マイコン）により構成された制御部１１と、レベル検出部１２と、メイン・アッテネータ１３と、ソースセレクタ１４と、オーディオ処理部１５と、アンプ１６と、操作部１７と、表示部１８と、サブ・アッテネータ２０と、アンプ入力切替スイッチ２１とを備えている。また、特に図示はしないが、本装置１０は車載バッテリから電源電圧の供給を受け、必要な機能ブロックに所定の電源電圧が適宜供給されている。
【００１９】
制御部１１は、アンプ１６以外の各機能ブロックに対しその動作及び入出力を制御するものであり、本発明に関連する処理として、後述するようにアンプ入力切替スイッチ２１の切り替えを制御すると共に、サブ・アッテネータ２０ａ（図３）に対しその減衰量の変更を制御する。この制御部１１にはメモリ１１ａが設けられており、このメモリ１１ａには、本発明に関連する情報として、スピーカ３に入力されるべきアナログのオーディオ信号（ＨＵ２から出力されるオーディオ信号ＡＳ）の複数のレベル値と、該複数のレベル値の各々に対応してあらかじめ設定された複数の減衰値との関係を表したテーブルが格納されている。このテーブルは、後述するようにサブ・アッテネータ２０ａ（図３）の減衰量を変更する際に参照される。
【００２０】
レベル検出部１２は、ＨＵ２から出力されるアナログのオーディオ信号ＡＳのレベルを検出し、その検出値をデジタル信号に変換（Ａ／Ｄ変換）して制御部１１に出力する。メイン・アッテネータ１３は、制御部１１からの制御に基づき、ＨＵ２から出力されるアナログのオーディオ信号ＡＳに対して所定のレベル範囲内で減衰量を調整するものである。すなわち、制御部１１では、レベル検出部１２により検出されたオーディオ信号ＡＳのレベル（デジタル値）を所定の時間サンプリングし、その間のピーク値の平均値を求めて、その平均値に見合った適正なアッテネータ値を算出し、メイン・アッテネータ１３をそのアッテネータ値に設定する。メイン・アッテネータ１３では、入力されたオーディオ信号ＡＳのレベルをその設定されたアッテネータ値（減衰量）だけ低減させて出力する。
【００２１】
メイン・アッテネータ１３を通して適宜レベル低減されたオーディオ信号は、ソースセレクタ１４に入力される。このソースセレクタ１４は、本装置１０に入力すべきオーディオ信号ＡＳを出力するオーディオソース１（ＣＤプレーヤ、ＡＭ／ＦＭチューナ等の各種ソース）を選択するためのものであり、この選択は、ユーザによる操作部１７からの入力指示に基づいて制御部１１により行われる。ソース・セレクタ１４を通して選択出力されたオーディオ信号は、オーディオ処理部１５に入力される。
【００２２】
オーディオ処理部１５は、制御部１１からの制御に基づいて入力オーディオ信号に対し音量調整や音質調整等の各種オーディオ処理を施すための機能ブロックであり、特に図示はしないが、Ａ／Ｄ変換器、電子式可変抵抗器（電子ボリューム）、デジタル信号プロセッサ（ＤＳＰ）、デジタルフィルタ、Ｄ／Ａ変換器等を備えて構成されている。例えば、Ａ／Ｄ変換器を通してデジタル化されたオーディオ信号に対し、制御部１１からの制御に基づいて、電子ボリュームにより各周波数帯域毎にレベル調整（グラフィックイコライジング調整）を行い、また、ＤＳＰにより各周波数帯域毎に周波数特性調整（パラメトリックイコライジング調整）を行う。このようにしてイコライジング調整されたデジタルのオーディオ信号は、デジタルフィルタを通し、さらにＤ／Ａ変換器を通してアナログのオーディオ信号に変換された後、スイッチ２１に入力される。
【００２３】
操作部１７は、特に図示はしないが、本装置１０を収容する筐体の前面に配設され、表示部１８と共に一体的に操作パネルの形態で構成されている。操作部１７には、本装置１０を操作するのに必要な各種の操作キーが設けられており、例えば、電源のオン／オフを行うためのスイッチ、音量を調整するためのキー、バス（低音域）やトレブル（高音域）等の音質を調整するためのキー、オーディオソース１を選択するためのキー、レベル設定等を行うためのキー、周波数帯域を設定／選択するためのキー等が設けられている。
【００２４】
表示部１８はＬＣＤパネルや有機ＥＬパネル等により構成され、その画面には、制御部１１からの制御に基づいて、オーディオソース１の動作状態や操作部１７を介して入力された各種操作等に関連した情報、制御部１１において処理された情報などが表示される。例えば、ＣＤを再生中のときは曲名、アーティスト名、トラック番号、演奏時間等が表示され、ラジオを受信中のときは放送局名や受信周波数等が表示される。また、本発明に関連する情報として、後述するようにレベル検出部１２において検出されるオーディオ信号ＡＳ（本来はスピーカ３に入力されるべきオーディオ信号）のレベルを指示する情報が表示される。
【００２５】
サブ・アッテネータ２０は、本発明を特徴付ける機能ブロックの一つであり、後述するように制御部１１からの制御に基づいて、ＨＵ２から出力されるアナログのオーディオ信号ＡＳのレベルを所定の減衰量だけ低減して出力するものである。本実施形態では、この所定の減衰量（減衰値）を「−２６ｄＢ」に選定している。「−２６ｄＢ」に選定した理由は、本装置１０の前段に接続されるＨＵ２（オーディオ信号出力ユニット）の出力段に設けられたアンプ２ａ（本装置１０のアンプ１６に相当）はＩＣ化された規格品であり、そのゲインは２６ｄＢに設定されていることが多いからである。もちろんＨＵ２の種類や機能等によっては出力段のアンプ２ａのゲインが２６ｄＢ以外の値に設定されている場合もあり、その場合には、そのゲイン値に応じてサブ・アッテネータ２０の減衰値を適宜選定するのが望ましい。
【００２６】
アンプ入力切替スイッチ２１は、サブ・アッテネータ２０と共に本発明を特徴付ける機能ブロックの一つであり、後述するように制御部１１からの切替制御により、サブ・アッテネータ２０の出力（入力されたオーディオ信号ＡＳのレベルを所定の減衰量（−２６ｄＢ）だけ低減させた信号）と、オーディオ処理部１５の出力（オーディオ信号ＡＳに対して各種オーディオ処理を施した信号）を選択的に切り替えて出力する。このアンプ入力切替スイッチ２１を介して選択出力されたオーディオ信号は、アンプ１６を通して電力増幅された後、外部のスピーカ３に供給されて音声出力される。
【００２７】
次に、本実施形態に係るオーディオ信号処理装置１０において行われる本発明に関連した動作について、図２を参照しながら説明する。図２は、オーディオ信号処理装置１０において制御部１１が行うアンプ入力切替制御の様子を示したものである。
【００２８】
先ず、図２（ａ）に示すように、本装置１０の起動時（電源「ＯＮ」時、もしくはリセットスタート時）には、制御部１１によりアンプ入力切替スイッチ２１をサブ・アッテネータ２０側に切替接続して、サブ・アッテネータ２０の出力（ＨＵ２から出力されるオーディオ信号ＡＳのレベルを−２６ｄＢだけ低減させた信号）をアンプ１６に入力する。このとき、レベルは低減されているものの当該オーディオ信号ＡＳは、アンプ１６を通してスピーカ３から音声出力されている。
【００２９】
また、レベル検出部１２では当該オーディオ信号ＡＳのレベルを検出しており、その検出されたレベル（デジタル値）は制御部１１においてモニタされると共に、制御部１１からの制御に基づき表示部１８の画面に当該レベルを指示する情報を表示する。このレベル検出とそれに基づくレベル情報の表示は、制御部１１により、所定の時間継続される。
【００３０】
この期間中（所定の時間）に、ユーザは、画面上のレベル情報を確認しながら、本装置１０の出力（スピーカ３の入力）が歪まないようにするための操作、すなわち、入力オーディオ信号ＡＳに対して適正レベルに合うようにＨＵ２側でボリューム調整（レベル合わせ）を行うことができる。
【００３１】
一方、制御部１１では、この期間中（所定の時間）、レベル検出を行い、その間のピーク値の平均値を求めて、その平均値に見合った適正なアッテネータ値を算出し、メイン・アッテネータ１３をそのアッテネータ値に設定する。メイン・アッテネータ１３では、入力オーディオ信号ＡＳのレベルをその設定されたアッテネータ値（減衰量）だけ低減させて出力し、このレベル低減されたオーディオ信号は、ソースセレクタ１４を介してオーディオ処理部１５に入力される。
【００３２】
そして、所定の時間が経過したときに、図２（ｂ）に示すように、制御部１１によりアンプ入力切替スイッチ２１をオーディオ処理部１５側に切替接続して、オーディオ処理部１５の出力をアンプ１６に入力する。この時点で、適正な減衰量だけレベル低減されたオーディオ信号ＡＳに対して各種オーディオ処理を施した信号が、アンプ１６を通してスピーカ３から音声出力される。
【００３３】
以上説明したように、本実施形態に係るオーディオ信号処理装置１０によれば、本装置１０の起動時には、制御部１１によりアンプ入力切替スイッチ２１を切替制御して、サブ・アッテネータ２０の出力（ＨＵ２から出力されるオーディオ信号ＡＳのレベルを−２６ｄＢだけ低減させた信号）をアンプ１６（スピーカ３）に接続するようにしているので、当該オーディオ信号ＡＳがいかなるレベルであっても、従来技術に見られたような起動時の無音（ミュート）状態を無くすことができる。従って、この期間中（ユーザによるレベル合わせが完了するまでの間）もスピーカ３からは当該オーディオ信号ＡＳが音声出力されるので、音楽を聴くことができる。
【００３４】
また、この期間中（所定の時間）は、スピーカ３にはレベル低減されたオーディオ信号ＡＳが入力されているので、従来技術に見られたような起動時の過大入力に起因する音声出力の歪みを実質上無くすことができる。これによって、スピーカ３のコイルの焼損を防ぐこともできる。
【００３５】
上述した実施形態では、本装置１０に入力されるオーディオ信号ＡＳのソース１が変更されたときに、その音声種別（例えば、ポップス、ジャズ、クラシック等のジャンルの違いや、高域、中域、低域等の周波数帯域の違いなど）にも依存するが、本装置１０の出力（すなわち、スピーカ３の入力）が歪む可能性がある。例えば、オーディオソース１としてラジオ（ＡＭ／ＦＭチューナ）を選択している場合にそのラジオのオーディオ信号に対して適正レベルに合うようにボリューム調整（レベル合わせ）を行った状態で、ソース１をＣＤプレーヤに変更した場合、一般にラジオよりもＣＤの方が信号レベル（振幅）が大きいため、ＣＤのオーディオ信号に対して適正レベルに合うようにボリューム調整（レベル合わせ）を行おうとしても、必ずしも出力の歪みをサブ・アッテネータ２０で完全に吸収しきれない場合が起こり得る。これは、サブ・アッテネータ２０の減衰量が−２６ｄＢに固定化されていることに起因する。
【００３６】
そこで、かかる不都合に対処するために当該アッテネータの減衰量を可変にすることが考えられる。図３は、その場合の一構成例を示したものである。
【００３７】
図３に示す構成例では、サブ・アッテネータ２０ａは、直列に接続された４個の抵抗器Ｒ０，Ｒ１，Ｒ２，Ｒ３と、直列に接続された２個のＮＰＮ型トランジスタＱ１，Ｑ２とを備えている。抵抗ストリング（Ｒ０〜Ｒ４）の一端（Ｒ０側）はＨＵ２に接続され、他端（Ｒ２側）はグランドに接続されており、抵抗器Ｒ０と抵抗器Ｒ１の接続点はスイッチ２１に接続されている。また、トランジスタＱ１のコレクタは抵抗器Ｒ１と抵抗器Ｒ２の接続点に、トランジスタＱ１のエミッタ（トランジスタＱ２のコレクタ）は抵抗器Ｒ２と抵抗器Ｒ３の接続点に、トランジスタＱ２のエミッタはグランドにそれぞれ接続されており、各トランジスタＱ１，Ｑ２のベースにはそれぞれ制御部１１から所定電圧の制御信号が印加されるようになっている。
【００３８】
図示の例では、各トランジスタＱ１，Ｑ２が「ＯＦＦ」状態にあるときは、当該アッテネータ２０ａの減衰量は、Ｒ０／（Ｒ０＋Ｒ１＋Ｒ２＋Ｒ３）となる。また、トランジスタＱ１のみを「ＯＮ」にしたときは、抵抗器Ｒ２の両端が短絡されるため、当該アッテネータ２０ａの減衰量は、Ｒ０／（Ｒ０＋Ｒ１＋Ｒ３）となる。同様に、トランジスタＱ２を「ＯＮ」にすると、抵抗器Ｒ３の両端が短絡されてトランジスタＱ１のエミッタがグランドレベルに低下し、これによりトランジスタＱ１も「ＯＮ」状態となり、抵抗器Ｒ２の両端も短絡されるため、当該アッテネータ２０ａの減衰量は、Ｒ０／（Ｒ０＋Ｒ１）となる。
【００３９】
このように、図３の実施形態に係るサブ・アッテネータ２０ａの構成によれば、制御部１１から供給される所定の制御信号に応じて、その減衰量を３段階で変更することができる。このとき、制御部１１は、メモリ１１ａに格納されているテーブルを参照し、レベル検出部１２により検出されるオーディオ信号ＡＳのレベルに応じて各トランジスタＱ１，Ｑ２のＯＮ／ＯＦＦ制御信号を生成する。
【００４０】
このように図３の実施形態によれば、本装置１０に入力されるオーディオ信号ＡＳのソース１が変更された場合でも、その変更後のソースのオーディオ信号に対して適正レベルに合うようにＨＵ２側でボリューム調整を行うにあたり、サブ・アッテネータ２０ａに設定された複数の減衰量（図示の例では３段階の減衰量）のなかから、当該オーディオ信号の検出レベルに応じた適正な減衰量を選択することができる。これによって、本装置１０の出力（スピーカ３の入力）の歪みを実質上無くすことが可能となる。
【００４１】
なお、図３に示す実施形態では、サブ・アッテネータ２０ａの減衰量を３段階で変更する場合を例にとって説明したが、減衰量を可変にする段数は３段階に限定されないことはもちろんである。
【００４２】
また、上述した実施形態では、本発明に係るオーディオ信号処理装置を車載用に適用した場合を例にとって説明したが、本発明は、その要旨からも明らかなように車載用に限定されないことはもちろんであり、一般的なオーディオ関連機器に広く適用可能である。
【図面の簡単な説明】
【００４３】
【図１】本発明の一実施形態に係るオーディオ信号処理装置を車載用のオーディオシステムに適用した場合の構成を示すブロック図である。
【図２】図１の装置において制御部が行うアンプ入力切替制御の説明図である。
【図３】本発明の他の実施形態におけるサブ・アッテネータの一構成例を示す回路図である。
【図４】従来技術の一例に係るオーディオ信号処理装置の構成を示すブロック図である。
【符号の説明】
【００４４】
１…オーディオソース、
２…ヘッドユニット（ＨＵ／オーディオ信号出力ユニット）、
３…スピーカ、
１０…オーディオ信号処理装置、
１１…制御部、
１１ａ…メモリ、
１２…レベル検出部、
１３…メイン・アッテネータ、
１４…ソースセレクタ、
１５…オーディオ処理部（各種オーディオ処理を行う機能ブロック）、
１６…アンプ、
１７…操作部、
１８…表示部、
２０，２０ａ…サブ・アッテネータ、
２１…アンプ入力切替スイッチ、
ＡＳ…（スピーカに入力されるべき）オーディオ信号。
【図１】
2006262181.tif 000003
【図２】
2006262181.tif 000004
【図３】
2006262181.tif 000005
【図４】
2006262181.tif 000006